(57)【特許請求の範囲】
【請求項１】
上位装置からデータを受信して表示する表示装置であって、
描画データ生成部と、
一定時間ごとに変動して表示される変動パターンと、
描画データを表示する表示部と、
入力信号の一致を比較する第一の比較器とを有し、
前記描画データ生成部は、
上位装置からデータを受信する受信部と、
上位装置から受信したデータを描画データに変換する描画制御部と、
描画データを記憶する描画メモリとを有し、
前記描画データ生成部と前記変動パターンは、複数設けられて冗長化され、
前記変動パターンは、前記描画データ生成部に入力され、
前記変動パターンを含んだ描画データに関する描画データ生成部の一方の出力信号は、前記表示部に送信され、
前記描画データ生成部からの複数の出力信号は前記第一の比較器に入力され、
前記第一の比較器は、比較の結果を検出信号として外部に出力し、
さらに、入力信号の一方を切り替える選択器と、
選択器の選択を時分割で指示する時分割切替部と、
一定パターンで信号を生成する期待値信号生成部と、
入力信号の一致を比較する第二の比較器とを有し、
前記冗長化された変動パターンは、比較において常に不一致となる相反パターンであり、
前記変動パターンを含んだ描画データに関する描画データ生成部の複数の出力信号は、前記選択器に送信され、
前記選択器は、入力信号を時分割により選択して、前記表示部に送信し、
前記第二の比較器に、前記第一の比較器よりの出力信号と、前記期待値信号生成部の出力信号が入力され、
前記第二の比較器は、比較の結果を検出信号として外部に出力することを特徴とする表示装置。
【請求項２】
さらに、警告表示部を有し、
前記第一の比較器より出力される検出信号が不一致のときに、前記警告表示部を動作させることを特徴とする請求項１記載の表示装置。
【請求項３】
前記表示部の変動パターンの表示領域の表示場所を変化させることを特徴とする請求項１記載の表示装置。
【請求項４】
前記変動パターンは、前記表示部に表示させる表示要素の属性を変化させるパターンであることを特徴とする請求項１記載の表示装置。
【発明の詳細な説明】
【技術分野】
【０００１】
本発明は、表示装置に係り、特に、産業プラント設備のモニタの表示をおこなう際に、安全性、信頼性を向上させるのに用いて好適な表示装置に関する。
【背景技術】
【０００２】
従来、大型の産業プラント設備においては、監視室からプラントの稼動状況を表示装置にモニタして、監視員が変動や事故などに対処してきた。特に、原子力発電プラントなどでは、高い安全性が求められているので、プラントの監視は重要な責務となっている。
【０００３】
電力会社の画面表示システムにおいて、安全性を高める技術としては、特許文献１がある。特許文献１の画面表示システムは、「業務管理用計算機の表示部に管理画面を表示する画面表示システムであって、管理画面を生成して表示するタスクを含む複数のタスクについて、実行するタスクの優先順位を規定する優先順位データを備え、該優先順位データに基づき実行するタスクを判定する実行タスク判定手段と、前記表示部の一部分に表示した画像を異なる画像に変化させる変化画像表示手段とを備え、前記変化画像表示手段により表示部の一部分に表示した画像を異なる画像に変化させるタスクは、前記管理画面を生成して表示するタスクよりも、前記優先順位データにおける優先順位が低いことを特徴とする」ものである（請求項１）。
【０００４】
さらに、冗長化により、表示装置の信頼性を高めようとする技術としては、特許文献２がある。特許文献２の高信頼性表示装置は、「画像信号を制御する少なくとも２系統のコンピュータ系統と、各々の前記コンピュータ系統を切り替える切換手段と、前記切換手段によって切り替えられた前記コンピュータ系統により送信された画像信号に基づいて画面を表示する表示手段と、を備えた多重化コンピュータシステムによる高信頼性表示装置において、各々の前記コンピュータ系統は、前記表示手段に送信する画像信号を格納する表示用格納手段を備え、前記切替手段は、前記表示用格納手段に格納された前記画像信号を読み出して前記表示手段に画面を表示させ、前記画像信号を送信しているコンピュータ系統が故障したとき、切り替えられる他のコンピュータ系統への前記画像信号の引継処理が完了して、前記切換手段が前記他のコンピュータ系統を前記表示手段に切り替えるまでの間は、前記故障したコンピュータ系統に属する前記表示用格納手段はメモリ内容の更新を強制的に停止され、前記表示手段に、前記故障したコンピュータ系統の故障前の画像信号に基づく画面を表示させることを特徴とする」ものである（請求項１）。
【先行技術文献】
【特許文献】
【０００５】
【特許文献１】特開２０１０−３０９２号公報
【特許文献２】特開２０００−１７２４８２号公報
【発明の概要】
【発明が解決しようとする課題】
【０００６】
上記特許文献１に記載の技術は、従来の大形プラント制御システムや大形発電施設の制御・監視システムが採用する表示装置に不具合がある場合には、画面の乱れや表示が消える等、表示の大きな変化を監視者が目視判断でおこなっている。しかしながら、表示装置内で液晶ディスプレイ等の表示パネルに描画データを表示するソフトウエアや描画回路に生じた故障によって、映像情報等の常態表示の一部の図の形状、色や文字が、間違った図や文字になってしまう場合は、その正誤を監視者が素早く認識することは困難であるという問題点がある。また、上述したような大形システムが採用する表示装置等に制御・監視系統状態を表示して監視制御をおこなうシステムでは、システムのＯＮ／ＯＦＦ操作や異常検出、異常停止等の特別なイベントが発生しないと画面上の表示がほとんど変化しないことが多く、表示装置が故障してフリーズしていても、監視者が迅速に判断することが困難という問題点があった。
【０００７】
例えば、原子力発電所は非常に厳しい安全度水準(電子系は、ＩＥＣ６１５０８規格のＳＩＬ３〜ＳＩＬ４相当)である場合が多く、中でも原子炉および制御システムの監視用表示装置において異常発生時の強制的な水の注入やベント等、保護系統の制御・監視常態を表示する装置については、最も厳しい安全度基準への準拠が要求されることがある。 
上記特許文献１に記載の技術は、表示系のフリーズ状態を検知する方法として、制御用プロセッサの処理に画像を変化させる処理タスクを設け、その処理タスクの実行優先順位を通常動作の表示処理タスクより下げることにより、通常の表示に支障なくフリーズ状態を検出する方法を採用している。この特許文献１の表示方法では、処理タスクの誤動作により、表示の一部のみが、一見正常な表示と見まがうような表示不良を検出することができない。また、監視者も表示装置を見ているだけでは誤りに気付くことは困難である。
【０００８】
また、上記特許文献２の表示装置は、表示系を２重化して一方を待機させ、表示系の不具合時に切替えることにより、可用性を向上するものであった。この特許文献２の表示装置では、特に、プラントのモニタ表示について、描画データの誤りを見つけることもできず、処理タスクの誤動作も見つけることができない。
【０００９】
本発明は、上記問題点を解決するためになされたもので、その目的は、産業プラント設備のモニタの表示など、厳しい安全基準を要求される際に、安全性、信頼性を向上させた表示装置を提供することにある。
【課題を解決するための手段】
【００１０】
本発明の表示装置の構成は、上位装置からデータを受信して表示する表示装置であって、描画データ生成部と、一定時間ごとに変動して表示される変動パターンと、描画データを表示する表示部と、入力信号の一致を比較する比較器とを有し、描画データ生成部は、上位装置からデータを受信する受信部と、上位装置から受信したデータを描画データに変換する描画制御部と、描画データを記憶する描画メモリとを有するものである。描画データ生成部と変動パターンは、冗長化され、変動パターンは、描画データ生成部に入力され、変動パターンを含んだ描画データに関する描画データ生成部の一方の出力信号は、表示部に送信され、描画データ生成部からの複数の出力信号は第一の比較器に入力され、比較器は、比較の結果を検出信号として外部に出力する。
【発明の効果】
【００１１】
本発明によれば、産業プラント設備のモニタの表示など、厳しい安全基準を要求される際に、安全性、信頼性を向上させた表示装置を提供することができる。
【図面の簡単な説明】
【００１２】
【図１】第一の実施形態に係る表示装置の構成図である。
【図２】第一の実施形態に係る表示装置の表示例を示す図である。
【図３】第一の実施形態に係る表示装置の構成図である。
【図４】表示部における表示例と描画処理部における信号の関係を示す図である。
【図５】第三の実施形態に係る表示装置の構成図である。
【図６】描画指示制御の命令列の例を示す図である。
【図７】第四の実施形態に係る表示装置の構成図である。
【図８】第五の実施形態に係る表示装置の構成図である。
【図９】第六の実施形態に係る表示装置の構成図である。
【図１０】第七の実施形態に係る表示装置の構成図である。
【図１１】第八の実施形態に係る表示装置の構成図である。
【図１２】描画領域を変動させる様子を示した図である。
【図１３】表示図形、文字等の表示要素の色を変化させる表示例を示す図である。
【発明を実施するための形態】
【００１３】
以下、本発明に係る各実施形態を図面を用いて説明する。
【００１４】
〔実施形態１〕
以下、図１および図２を用いて第一の実施形態に係る表示装置について説明する。  
図１は、第一の実施形態に係る表示装置の構成図である。
図２は、第一の実施形態に係る表示装置の表示例を示す図である。
【００１５】
本実施形態の表示装置は、表示するための描画データを作り出す描画処理部１と、描画データを受信して表示する表示部２で構成する。
【００１６】
描画処理部１は、描画データ生成部３と、変動パターン９と、選択器１３と、比較器１０と、送信部１６で構成する。描画データ生成部３は、受信部５と、描画制御部７と、描画メモリ８で構成する。
【００１７】
受信部５は、表示する図形、文字等の情報を制御装置やコンピュータ、情報処理装置等から受け取る。描画制御部７は、受信部５で入力した情報から描画用データ、例えば、ビットマップデータを生成する。描画メモリ８は、半導体記憶装置であり、描画用データを一時的に保持する。変動パターン９は、通常の表示とは別に診断用に表示する描画データのパターンデータである。パターン選択器１３は、格納している複数の変動パターン９の中から描画制御部７の出力信号により変動パターンを選択する部分である。
【００１８】
さらに、これらの描画データ生成部３と、変動パターン９、パターン選択器１３を複数設けた冗長構成とし、その中の１系統の描画メモリ８のデータを表示部２の表示タイミングに同期して読み出す（１４）。
【００１９】
比較器１０は、複数の描画メモリ８からの読み出しデータの一致性を比較する装置である。比較器１０の結果は、検出信号１５として出力される。検出信号１５の取扱いは、後出の実施形態で説明する。送信部１６は、描画メモリ８からの読み出しデータの一方を表示部２にデータを送信する部分である。
【００２０】
また、表示部２は、描画データ受信部１２と、表示パネル１１で構成する。
【００２１】
描画データ受信部１２は、描画処理部１からの描画データを受信する部分である。表示パネル１１は、液晶ディスプレイ（ＬＣＤ：liquid crystal display）などよりなる発光パネルである。
【００２２】
本実施形態の表示部では、表示パネル１１の表示領域の一部に常に変動パターン９の描画データを表示する領域１７を設ける。なお、領域１７については特別な位置に限定されず、表示パネル１１のどこに置いてもよい。
【００２３】
本実施形態の表示装置は、受信部５が受け取った表示用情報を描画制御部７で描画用データに変換し、順次描画メモリ８を経由して表示部２に送信して指示通りの表示をおこなう。その際、描画制御部７は、変動パターン９を予め定めたタイミングで取り込み、描画用データの一部に割込み、挿入する。冗長構成した部分については、同一の動作をおこない、変動パターン９の選択も同一のものとする。
【００２４】
したがって、正常動作のときには、比較器１０の検出信号１５は、一致を示し、検出信号１５が一致を示さないときには、描画処理部１に異常が起こっていることを意味する。
【００２５】
表示部２での表示例としては、図２に示されるようなものが考えられる。図２（ａ）に示されるように、表示パネル１１の中央に対象とする制御システム等の通常の運用情報を表示しており、その下部に常に表示状態を変動させる対象を領域１７ａに示している。図２（ｂ）に示されるように、表示例２３では、時間の経過と共に、白色と黒色のパターンを前後させて変化させている。また、図２（ｃ）に示されるように、表示例２４では、領域１７ｂに、時間の経過と共に、縦棒の角度を変えた変動パターンを順次選択、表示することにより、縦棒が常時回転するように表示した例を示している。なお、本実施形態の表示装置は、変動する図、文字等を限定する必要はなく、変動パターンによって、表示の一部を常時変化できる図、文字等であれば、その形状、色にこだわらない。
【００２６】
以上のことから、本実施形態の表示装置によれば、描画用データを生成する制御部を冗長構成にし、その出力の一致検出を逐次おこなうことにより、故障等で誤ったデータが生成されることをいち早く検出できる。また、通常の描画処理の中に常時描画状態を変動させる変動パターンを挿入することにより、監視者が、描画処理および表示部のフリーズ状態を視認でき、表示装置の不具合を早期に発見可能となる。これにより、監視者が誤った判断や、誤った指示を受け取ることがなく、安全なシステム運用を実現できる。
【００２７】
本実施形態では、診断用の変動表示を単一の処理手段ではなく、通常描画と診断用の描画制御を独立した構成としているため、通常の描画制御処理を阻害することなく変動表示を繰返し実行できる。以上により、表示装置の故障を早期に検出可能となり、誤った表示による監視者の誤った判断の誘発や操作ミスを防ぐことができ、システムの安全性と運用効率を向上することができる。
【００２８】
〔実施形態２〕
以下、図３および図４を用いて第二の実施形態に係る表示装置について説明する。  
図３は、第二の実施形態に係る表示装置の構成図である。
図４は、表示部における表示例と描画処理部における信号の関係を示す図である。
【００２９】
本実施形態では、第一の実施形態と異なる所を中心に説明する。
【００３０】
本実施形態の表示装置では、冗長構成とした各部毎に違う変動パターンデータ（３１，３２）を設ける。さらに、送信データ選択器３３と、時分割切替部３４と、期待値比較器３１とを設ける。
【００３１】
送信データ選択器３３は、冗長構成とした描画メモリ８からの出力データ１４のいずれを表示部２に送信するかを選択する。時分割切替部３４は、送信データ選択器３３の選択を時分割的に切り替える制御をおこなう。期待値比較器３１は、複数の描画メモリ８からの読み出しデータの一致性を比較する比較器１０の出力と、その出力信号と同一の信号変化を生成する期待値信号生成部３５からの出力との一致比較をおこなう装置であり、その結果を検出信号３６として出力する。
【００３２】
本実施形態では、図４（ａ）に示されるように、表示パネル１１における表示例が、表示パネル１１の左上部から右へ、右端から次の行に移動する、いわゆる走査線のイメージで描画するものとする。表示パネル１１の右下部に、表示部２に示す変動パターンを表示する領域１７ｃがとられるものとする。本実施形態の表示例では、領域１７ｃの描画データとして、変動パターン３１と変動パターン３２が使用される。
【００３３】
変動パターン３１，３２は、相反する描画データ（例えば、補数データ）であり、比較器１０において、変動パターンを比較する際は、常に不一致となるようにとる。
【００３４】
比較器１０からの信号［１］３９ａの信号波形は、図４（ｂ）に示されるようになる。
【００３５】
表示例左端上部（１）から比較され、領域１７ｃに入るところで、変動パターン３１と３２のデータを送出する。
【００３６】
比較器１０は、領域１７ｃでの比較において、データが不一致となることを検出して、この例では不一致を示すＨｉｇｈレベルを出力する（（２））。その後、通常描画データを送出している間、比較器１０は、描画処理部１に異常がなければ、一致状態で推移し、再度、領域１７ｃに入ったところ（（３））でＨｉｇｈレベルを出力する。以降、（４）も同様である。
【００３７】
一方、期待値信号生成部３５は、この信号波形と同じ信号を生成し、その信号［２］３９ｂを比較器３１に入力する。そして、信号３９ａと信号３９ｂとの一致検出をおこない、描画データ生成部３や比較器１０に故障等が発生すると不一致となって検出することが可能である。なお、変動パターンを、第一の実施形態の図１で示した例のように複数設け、描画制御部７からの信号で選択する構成でもよい。
【００３８】
以上のことから、本実施形態によれば、描画用データを生成する制御部を冗長構成にし、その出力の一致検出を逐次おこなうことで、故障等で誤ったデータが生成されることをいち早く検出でき、通常の描画処理の中に常時描画状態を変動させる変動パターンを挿入することにより、監視者が描画処理および表示部のフリーズ状態を視認でき、表示装置の不具合を早期に発見可能となる。さらに、冗長構成とした全処理系の出力を表示部２に渡して表示することで、比較器１０や比較器３１でのチェックだけでなく、監視者による目視で異常を認識することができることから、安全性の高い表示装置を構築できる。
【００３９】
〔実施形態３〕
以下、図５および図６を用いて第三の実施形態に係る表示装置について説明する。  
図５は、第三の実施形態に係る表示装置の構成図である。
図６は、描画指示制御の命令列の例を示す図である。
【００４０】
本実施形態でも、第一の実施形態と異なる所を中心に説明する。
【００４１】
本実施形態では、表示する図形、文字等の情報を作り出す情報処理装置４１を設け、この情報処理装置４１からの情報に基づいて、描画処理部１で表示部２に送出する描画データに変換する。
【００４２】
情報処理装置４１は、入力Ｉ／Ｆ（InterFace）部４２と、描画情報入力部４３と、描画指示データ生成部４４と、図変動指示部４６を設ける。
【００４３】
入力Ｉ／Ｆ部４２は、他の情報処理装置やプラント制御システム、コンピュータ等からの情報を受信する。描画情報入力部４３は、受信した情報に基づいて、表示装置で表示するための図や文字を決定する。描画指示データ生成部４４は、描画情報入力部４３で決定された結果をもとに描画指示命令に変換する。図変動指示部４６は、常時表示状態を変動させるための変動パターンデータの選択指示命令を挿入する。
【００４４】
描画指示データ生成部４４が生成する描画指示命令は、図５に示されるようになる。この例では、文字出力指示は、ＴＥＸＴ命令でおこなわれるものとし、その属性データとして、文字種類（ＣＯＤＥ１）、表示位置（Ａｄｄｒｅｓｓ）、色（Ｃｏｌｏｒ）、階調（Ｄｅｐｔｈ）として付加している。線の描画指示は、ＬＩＮＥ命令でおこなわれるものとし、同様に位置や色を属性データとして付加する。ここに、図変動指示部４６が予め設定したタイミングで変動パターンを選択、表示させる命令を挿入することにより、常時変動する表示を実現することができる。図６に示した例では、ＤＩＡＧ命令でこれをおこなうこととし、同様に図の種類や表示位置、色等を属性データとして付加している。ただし、このＤＩＡＧ命令は一例であり、表示部２の機能に合わせて必要な情報があれば、図６に示していない属性情報、または、描画指示命令を追加することもできる。
【００４５】
以上のことから、本発明によれば、第一の実施形態、第二の実施形態同様の効果に加え、描画処理部１の構成を簡略化することができ、コストおよび消費電力を削減することができる。また、描画処理部１に、プロセッサを用いて、各構成要素を処理プログラムとして実現することも可能である。
【００４６】
〔実施形態４〕
以下、図７を用いて第四の実施形態に係る表示装置について説明する。  
図７は、第四の実施形態に係る表示装置の構成図である。
【００４７】
本実施形態は、第三の実施形態の図４に示した描画処理部と、第一の実施形態の図１で示した描画処理部を組み合わせた構成である。
【００４８】
本実施形態では、情報処理装置４１からの描画指示命令を受信した描画処理部１内の描画制御部７で、命令を解釈し、その指示に従い変動パターンを選択して描画メモリ８へ出力する。
【００４９】
以上のことから、本発明によれば、第三の実施形態同様の効果に加え、描画処理部１の故障を冗長構成によって検出することができる。
【００５０】
〔実施形態５〕
以下、図８を用いて第五の実施形態に係る表示装置について説明する。  
図８は、第五の実施形態に係る表示装置の構成図である。
【００５１】
本実施形態でも、第一の実施形態と異なる所を中心に説明する。
【００５２】
本実施形態は、描画処理部１内の描画制御部と描画メモリ等、描画用データを生成する機能をプロセッサ７２で構成したものである。例えば、プロセッサ７２は、描画指示命令からビットマップデータに変換することとし、描画指示命令に書かれている描画対象の位置、描画方向属性からビット位置情報を計算し、その計算結果であるビットマップ情報をプロセッサ内のメモリに一時的に格納し、表示部２の表示タイミングに、同期してメモリから汎用バス出力から送出する。描画処理部１の故障を検出するため第二の実施形態と同様に冗長構成をとる。そして、その冗長構成した出力を時分割で切替えて出力する構成とする。その際、冗長化したプロセッサ７２の出力は、処理タスクの優先順位がＯＳ（オペレーティングシステム）等により全く同一のタイミングで出力される保障がないため、各プロセッサからの出力を一時的なバッファである同期化部７４で保持し、全プロセッサからの出力を同期化する。プロセッサの出力の差は表示部２の表示出力サイクル以下となるようプロセッサ内で調節する。
【００５３】
以上のことから、本発明によれば、第二の実施形態同様の効果に加え、汎用的なプロセッサを用いて実現することが可能であり、開発コスト、期間を短縮することができる。
【００５４】
〔実施形態６〕
以下、図９を用いて第六の実施形態を説明する。  
図９は、第六の実施形態に係る表示装置の構成図である。
【００５５】
本実施形態では、第一の実施形態、第二の実施形態と異なる所を中心に説明する。
【００５６】
本実施形態は、上記第一の実施形態ないし第五の実施形態に示された表示装置の構成に加え、警告表示部８１を設けたものである。
【００５７】
警告表示部８１には、描画処理部１から出力される障害の検出信号１５または検出信号３６を入力される。警告表示部８１は、この検出信号を受信した後、異常状態であることを表示する。警告表示としては、例えば、光を発光する、音を出す、別な専用警告表示装置で表示するなど、監視者に対して能動的な、いわゆる能動的警告をおこなう。
【００５８】
以上のことから、本実施形態によれば、上記第一の実施形態ないし第五の実施形態同様の効果に加え、異常が発生したことを監視者が注意深く視認する必要なく、迅速かつ明確な状態表示を可能とする。
【００５９】
〔実施形態７〕
以下、図１０を用いて第七の実施形態を説明する。  
図１０は、第七の実施形態に係る表示装置の構成図である。
【００６０】
本実施形態は、表示パネルの駆動信号を観測し、描画データと比較して故障を検出するようにしたものである。
【００６１】
本実施形態の描画処理部１は、描画データ生成部３と、送信部１６と、比較器３８と、データ保持部９５で構成される。
【００６２】
描画データ生成部３からの出力は、送信部１６を介して表示部２へ送信されると同時に、データ保持部９５に出力される。データ保持部９５は、一時的にデータを保持するバッファである。
【００６３】
また、表示部２は、表示パネル１１と、受信部１２と、Ｘ軸ドライバ９２とＹ軸ドライバ９１と、データ変換部９３で構成される。
【００６４】
Ｘ軸ドライバ９２とＹ軸ドライバ９１は、それぞれ表示パネル１１の横軸、縦軸のドットを制御するドライバである。本実施形態では、そのＸ軸ドライバ９２とＹ軸ドライバ９１から表示パネル１１に出力する信号を取り出して、データ変換部９３に出力する。データ変換部９３は、その信号から描画用データ（例えばビットマップデータ）に復元、変換する
一方、描画処理部１のデータ保持部９５では、格納したデータがＸ軸、Ｙ軸ドライバから出力され、データ変換部９３で復元され、返されるまでの時間、データを保持している。そして、データ変換部９３が出力する描画用データと、保持部９５に格納していたデータを、比較器３８により比較し、一致検出をおこなう。
【００６５】
以上により、本実施形態では、表示部２のドライバ出力までの障害を検出することが可能となる。
【００６６】
〔実施形態８〕
以下、図１１を用いて第八の実施形態を説明する。  
図１１は、第八の実施形態に係る表示装置の構成図である。
【００６７】
本実施形態では、第四の実施形態と異なる所を中心に説明する。
【００６８】
本実施形態は、描画制御部の各構成部の出力を比較して、故障箇所を認識可能にしたものである。
【００６９】
本実施形態では、第四の実施形態の表示装置の構成において、情報処理装置４１の送信部４５を冗長構成とし、冗長構成にされた描画処理部１の各々に送信する構成とする。さらに、描画処理部１では、受信部５、描画制御部７、描画メモリ８の各構成要素の出力を、それぞれ比較器１０１、１０４と、１０で一致検出をおこなう。これにより情報処理装置４１から描画処理部１内のどこで障害が発生したかを検出することが可能となり、監視者が障害部位のみを交換することができ、システムの停止時間や保守時間を短縮することができる。
【００７０】
例えば、比較器１０１で不一致を検出したときには、送信部４５、接続線６１、受信部５のいずれかで故障があったことが疑われる。
【００７１】
本実施形態では、一致検出信号１５、１０６、１０７を出力しているだけだが、この検出信号を別な情報処理装置に送信し、運用制御に使うこともできる。また、図９で示した警告表示に一部、または、全てを入力することもできる。
【００７２】
〔実施形態９〕
以下、図１２を用いて第九の実施形態について説明する。  
図１２は、描画領域を変動させる様子を示した図である。
【００７３】
本実施形態では、上記第一の実施形態ないし第八の実施形態において、変動パターンの表示領域１７を移動させるよう描画位置を制御する。図１２に示された例では、領域１７から領域１２１へ移動し、その後、破線と矢印で示された領域を順次移動している。これにより、監視者がフリーズ状態を視認することが容易となり、異常を早期に認識することができる。
【００７４】
〔実施形態１０〕
以下、図１３を用いて第十の実施形態について説明する。  
図１３は、表示図形、文字等の表示要素の色を変化させる表示例を示す図である。
【００７５】
本実施形態では、上記第一の実施形態ないし第八の実施形態において、変動パターンの表示を、通常の運用で用いる表示要素の一部に適用する。図１３に示された例では、表示要素１２２の色が、色１から色２、色３、色４と順次変化している。これにより、監視者がフリーズ状態を視認することが容易となり、異常を早期に認識することができるとともに、常時変動する領域を特別に設ける必要がなくなり、全表示領域を通常の運用のための表示に使用することができる。
【符号の説明】
【００７６】
１…描画処理部
２…表示部
３…描画用データ生成部
４…描画用データ生成部（冗長構成）
５…受信部
７…描画制御部
８…描画メモリ
９…変動パターン
１０…比較器
１１…表示パネル
１２…描画用データ受信部
１３…変動パターン選択器
１４…描画用データ信号
１５…検出信号
１６…描画用データ送信部
１７…変動パターン表示領域
３１…比較器
３３…選択器
３４…時分割切替部
３５…期待値信号生成部
３６…検出信号
４１…情報処理装置
４２…入力Ｉ／Ｆ部
４３…描画情報入力部
４４…描画指示データ生成部
４５…送信部
４６…図変動指示部
【図１】
0006554048.tif 000002
【図２】
0006554048.tif 000003
【図３】
0006554048.tif 000004
【図４】
0006554048.tif 000005
【図５】
0006554048.tif 000006
【図６】
0006554048.tif 000007
【図７】
0006554048.tif 000008
【図８】
0006554048.tif 000009
【図９】
0006554048.tif 000010
【図１０】
0006554048.tif 000011
【図１１】
0006554048.tif 000012
【図１２】
0006554048.tif 000013
【図１３】
0006554048.tif 000014